(57)【特許請求の範囲】
【請求項１】
直交マトリックス上に配置された表示セルを持つプラズマディスプレイパネル部（８）と、表示データ選択駆動を行う複数のドライバ部（６，７）と、各ドライバへの信号を制御するプラズマディスプレイコントローラ部（５）とから構成されたプラズマディスプレイに於いて、当該プラズマディスプレイのプラズマディスプレイコントローラ部に接続された輝度調整手段（１１）で有って、当該プラズマディスプレイの表示輝度を調整する為の輝度ボリューム（１）、該輝度ボリュームの変位に応答して輝度制御パルスを出力する輝度制御パルス発生手段（２）、当該輝度ボリュームの変位に対応する当該輝度制御パルスの幅を、所定基準パルスにより計測する第１のカウンタ手段（２１）、当該第１のカウンタ手段のカウント値が入力される輝度制御信号成形手段（２０）、該輝度制御信号成形手段に接続され、該輝度制御信号成形手段から出力される輝度制御信号に対応した表示制御信号パターンを複数種記憶している表示制御信号選択手段（２５）とから構成され、該表示制御信号選択手段の出力が、該プラズマディスプレイコントローラ部に接続されている事を特徴とするプラズマディスプレイ制御装置。
【請求項２】
該輝度制御信号成形手段（２０）には、該第１のカウンタ手段のカウント値を記憶する記憶手段（１３）、所定の周期毎に該第１のカウンタ手段から出力されるカウント値と該記憶手段に格納されている当該周期の一つ前の周期における該カウント値との差分値を求める差分値出力手段（１４）、当該差分値出力手段からの出力値を所定の基準値と比較する比較手段（１５）、当該比較結果に基づいて、当該周期に於ける、該輝度制御信号に含まれる高輝度波形と低輝度波形出力割合を決定する輝度制御信号調整手段（１８）とが含まれている事を特徴とする請求項１記載のプラズマディスプレイ制御装置。
【請求項３】
該輝度調整手段（１１）には、該輝度制御パルス発生手段（２）から出力される輝度制御パルスの立ち上がりエッジを検出する輝度制御パルス立ち上がりエッジ検出手段（２２）が設けられており、該第１のカウンタ手段（２１）は、該輝度制御パルス立ち上がりエッジ検出手段の出力でクリアされ、該輝度制御パルス発生手段からの出力が“Ｈ”レベルとなった場合に、所定基準パルスを計測する様に構成されている事を特徴とする請求項１記載のプラズマディスプレイ制御装置。
【請求項４】
該輝度制御信号調整手段（２０）には、更に、当該比較手段（１５）からの出力値を所定の基準値と比較して、該輝度ボリュームに変化が有った否かを判断する判定手段（１６）が設けられている事を特徴とする請求項２に記載のプラズマディスプレイ制御装置。
【請求項５】
該輝度制御信号成形手段（２０）は、当該判定手段（１６）により、当該差分値の絶対値が、該基準値よりも小さいと判断した場合には、該記憶手段（１３）に記憶されているカウント値を有効とし、当該差分値の絶対値が、該基準値よりも大きいと判断した場合には、該記憶手段に記憶されているカウント値を、新たに入力された当該カウント値で置き換える事により、当該輝度制御信号に於ける現在の高輝度波形と低輝度波形出力割合を変更するか、そのままに維持させるかを決定する機能を有する輝度制御信号変更手段（１７）を有するものである事を特徴とする請求項４記載のプラズマディスプレイ制御装置。
【請求項６】
該輝度調整手段（１１）には、該輝度制御パルスの立ち上がりエッジ検出手段の出力でクリアされ、該所定基準パルスを計測する様に構成されている第２のカウンタ手段（２３）を有し、且つ、該記憶手段（１３）に記憶されているカウント値と、該輝度ボリュームの作動が開始された時点以後、当該第２のカウンタ手段から逐次発生する所定の基準パルス数とを比較し、当該逐次発生する水平同期信号（Ｈsync）の数が該記憶手段に記憶されている該カウント値よりも大きくなった時点で、該輝度制御信号を立ち下げる輝度制御信号立下がり時点制御手段（２４）とを含んでいる事を特徴とする請求項２乃至５の何れかに記載のプラズマディスプレイ制御装置。
【請求項７】
該輝度制御信号調整手段（１８）は、該輝度制御信号の立ち下がり時点制御手段（２４）からの出力により制御されるものである事を特徴とする請求項６記載のプラズマディスプレイ制御装置。
【請求項８】
該輝度調整手段（１１）は、消費電流検出手段（６０）、当該消費電流が予め定められた所定の電流値を越えた場合に、当該消費電流値を該所定の電流値に迄低減させるための輝度表示レベル（ＢＡ）を決定する電流値低減手段（６２）、該電流値低減手段により決定された輝度表示レベルと輝度表示レベルの最大値との比率を演算する演算手段（６３）、該第１のカウント手段の該カウント値を該演算手段により得られた当該比率で補正する補正手段（６４）、該補正値を格納する記憶手段（６５）、新たに得られた当該補正値と該記憶手段に記憶された前周期に於ける補正値とを比較して、その差分値が予め定められた値以下である場合には、該記憶手段に記憶されている当該補正値を有効とし、その差分値が予め定められた値以上である場合には、該新たな補正値を当該記憶手段に記憶させる判定処理手段（６７）、水平同期信号（Ｈｓｙｎｃ）を、該輝度制御パルスの立ち上がりからカウントする第２のカウント手段、当該第２のカウント手段に於けるカウント値を、該記憶手段に記憶されている補正値と比較して、当該カウント値が該補正値よりも小さい場合には、該輝度制御信号を高輝度状態となし、当該カウント値が該補正値よりも大きい場合には、該輝度制御信号を低輝度状態に設定する輝度制御信号成形手段（６８）とを含んでいる事を特徴とする請求項１記載のプラズマディスプレイ制御装置。
【請求項９】
直交マトリックス上に配置された表示セルを持つプラズマディスプレイパネル部と、表示データ選択駆動を行う複数のドライバ部と、各ドライバへの信号を制御するプラズマディスプレイコントローラ部と、該プラズマディスプレイコントローラ部に接続され、輝度ボリュームの設定に基づくパルス幅を持つ輝度制御パルスから生成された輝度ボリューム変更情報に基づいて輝度制御信号を発生する輝度調整手段とを有するプラズマディスプレイに於いて、輝度制御信号を発生させるに際して、
該プラズマディスプレイパネル部に流れる消費電流を検出する工程、
当該消費電流が予め定められた所定の電流値を越えた場合に、当該消費電流値を該所定の電流値に迄低減させるための輝度表示レベルを決定する工程、
当該輝度表示レベルと輝度表示レベルの最大値との比率を演算する工程、
該輝度ボリューム変更情報の値を該比率で補正する補正値形成工程、
該補正値を所定の記憶手段に格納する工程、
新たに得られた当該補正値と該記憶手段に記憶された前周期に於ける補正値とを比較してその差分値を求める工程、
当該差分値が予め定められた値以下である場合には、該記憶手段に記憶されている当該補正値を有効とし、その差分値が予め定められた値以上である場合には、該新たな補正値を当該記憶手段に記憶させる工程、
水平同期信号（Ｈｓｙｎｃ）を、該輝度制御パルスの立ち上がりからカウントする工程、
当該カウント値を、該記憶手段に記憶されている補正値と比較して、当該カウント値が該補正値よりも小さい場合には、該輝度制御信号を高輝度状態となし、当該カウント値が該補正値よりも大きい場合には、該輝度制御信号を低輝度状態に設定する工程、
とを含んでいる事を特徴とするプラズマディスプレイの駆動方法。
【発明の詳細な説明】
【０００１】
【発明の属する技術分野】
本発明は、プラズマディスプレイ及びその駆動方法に関するものであり、特に詳しくは、ＡＣメモリ型プラズマディスプレイ装置の表示輝度を制御する為の輝度コントロール方法及びコントロール装置に関するものである。
【０００２】
【従来の技術】
近年、フラットディスプレイ表示装置、例えばＬＣＤ、ＥＬ、ＰＤＰ等の表示装置の普及に伴い、表示品質の向上や、更なる高輝度化の要求が高まる中、様々な使用環境に対応する為に表示輝度を任意に調整出来て、且つその調整範囲がほぼ真っ暗な状態から最高輝度までの全てに対応して、安定な表示を行う事の出来る輝度コントロール装置が要求されている。
【０００３】
この為、これらの表示装置に対する輝度制御装置がこれまでに種々提供されているが、ＡＣ型プラズマディスプレイ装置では、１ライン毎に表示データの書き込み／消去スキャンを行った後、サステイン放電することにより表示を維持している。
当該表示輝度は、１画面の走査帰還を規定する信号である１Ｖsync  中のサステイン回数に比例しているので、係るサステイン回数を変化させることで表示輝度を可変している。
【０００４】
この輝度制御はデジタル的（段階的）に行われるが、ユーザによる実際の操作は輝度ボリュームによるアナログ的（連続的）なものである為、これをデジタル的な制御に変換して安定な輝度制御を行う必要がある。
つまり、従来の方法に於いては、当該アナログ的な制御をデジタル的な制御に変換する場合に、階段状部分での制御が変動を来し、その為輝度の表示レベルが異なって来る事があり、これが表示環境の状態によっては、例えばフリッカが発生している様に表示されるので、画像の表示品質を低下させる原因となっている。
【０００５】
つまり、従来の輝度制御装置の一例は図４に示す様に、ユーザが表示輝度を任意に設定する為の輝度ボリューム１と該輝度ボリューム１の設定に応じたパルス幅の輝度制御信号（ＢＣ信号）を一定の周期（つまり輝度制御信号発生周期：ＢＣ周期）で発生する輝度制御信号パルス発生手段２と、当該輝度制御信号を１ラインの走査周期を規定する信号である水平同期信号（Ｈsync）でラッチしてその論理を固定すると共に、後述する、ＲＯＭを内蔵する表示制御信号選択手段４の上位アドレスを指定するラッチ回路３と、当該アドレスに対応した輝度の波形が格納されている表示制御信号選択手段４と当該表示制御信号選択手段４からの表示制御信号（８ビット）を受信して、プラズマディスプレイパネル８に訂正な表示を行う為にＸ−ドライバ６とＹ−ドライバ７に所定の表示制御信号を供給するプラズマディスプレイコントローラ５とから構成されている。
【０００６】
処で、図５（Ａ）及び図５（Ｂ）は、係る従来に於けるプラズマディスプレイ装置１０に於けるプラズマディスプレイコントローラ５に入力される駆動波形と輝度制御信号（ＢＣ信号）との関係を示す波形図であり、図中、ＹｎとＸｎは、それぞれ任意のＹドライバとＸドライバの出力波形を示すものである。
図から判る様に、基本的には、図４のＹ−ドライバ７からライトパルスが走査され、１ライン全体のセルが発光し、次のＸ−ドライバによるサステイン放電により、再び発光する。
【０００７】
ここで、Ｘ側に転送されたデータに従って、Ｘ−ドライバ６ではデータ選択パルスが出力され、表示セルでは、Ｙ−ドライバから出力されるイレーズパルスを打ち消す。
一方、非表示セルには、イレーズパルスが印加され、以後の表示は行われなくなる。    そして、Ｘ、Ｙ交互に印加されるサステインパルスにより表示セルのみの表示を維持し、再びデータライトされるまで、その表示を継続する。
【０００８】
処で、係る基本的な表示方法に於いて、上記した輝度制御信号（ＢＣ信号）を併用する場合、図５（Ａ）に示す様に、当該輝度制御信号が“Ｈ”レベルである間には、所定の表示セルを維持放電させて発光させる高輝度状態を維持させ、一方、図５（Ｂ）に示す様に、当該輝度制御信号が“Ｌ”レベルである間には、全ての表示セルの維持放電を停止させ低輝度状態を維持させる状態とするものである。
【０００９】
上記の輝度制御方法の一具体例を図６の波形図に示す。
つまり、従来の輝度制御方法に於いては、図６のタイムチャートに示す様に、所定の一周期（ＢＣ周期）内に於いて、図６（Ａ）に示す様に、当該輝度制御信号発生手段２から輝度制御パルス（ＢＣパルス）が輝度ボリューム１の設定に応じた幅を以て出力される。
【００１０】
当該所定の一周期（ＢＣ周期）は、一般的には、１Ｖsync周期よりも短く設定されているものであり、一例としては、当該１Ｖsyncの１／２程度に設定されている。
係る従来の方法に於いては、上記の輝度制御パルス（ＢＣパルス）が所定の基準クロック信号でラッチされる。当該基準クロックとしては、例えば、図６（Ｂ）に示す様に、当該プラズマディスプレイに於ける１ラインの走査周期である１水平同期信号（Ｈsync）を使用することが出来る。
【００１１】
従って、図６（Ｃ）に示す様に、輝度制御信号（ＢＣ信号）は、上記ＢＣパルスの幅に応じたパルス幅をもって形成される事になる。
つまり、輝度ボリューム１の設定値が大きければ大きい程、当該輝度制御信号（ＢＣ信号）のパルス幅も長くなる。
上記の具体例では、当該輝度制御パルスの立ち上がりと当該所定の一周期（ＢＣ周期）及び該水平同期信号（Ｈsync）の立ち上がりは、何れも同期した状態に設定されているが、必ずしも同期されていなくても良い。
【００１２】
従って、上記した従来の方法に於いては、輝度制御パルス発生手段２から出力される輝度制御パルス信号を当該１水平同期信号（Ｈsync）でラッチして当該輝度制御信号を生成している。
然しながら、該輝度制御パルス発生手段２から出力される輝度制御パルス信号の立ち下がりに於いては、当該輝度ボリューム１が連続的に変化している為、該水平同期信号（Ｈsync）により正確にラッチ出来ない場合があり、場合によっては、図６（Ｃ）に示す輝度制御信号Ｃ−１と同様のパルス幅を持つ輝度制御パルス信号が次の周期で出力されているにも係わらず、図６（Ｃ）のＣ−２に示す輝度制御信号の様に、輝度制御信号Ｃ−１と異なるパルス幅を持った輝度制御信号が生成される場合があり、当該水平同期信号（Ｈsync）でラッチする際に、その論理を正確に確定する事が出来ない場合が存在する。
【００１３】
その為、該輝度制御信号に於ける高輝度期間の長さが、図６（Ｃ）のＣ−１に示す輝度制御信号とＣ−２に示す輝度制御信号の様に、一周期毎に変化する事になり、表示画面全体が暗い状態に於いては、これが表示フリッカの様に見えてしまうと言う欠点となっていた。
一般的に、周囲の輝度が明るい時に、周囲の輝度より少し明るい或いは暗い状態があったとしても人間の視感特性では捉える事が出来ないので当該欠点を感じないが、周囲の輝度が暗い時に同じ現象が起こると、周囲が明るい時に比べて輝度の変化率がずっと大きくなる為、人間の視感特性でも変化を捕らえフリッカ（表示画面のちらつき）の様に見えてしまう場合がある。
【００１４】
【発明が解決しようとする課題】
本発明の目的は、上記した従来技術の欠点を改良し、従来技術に於ける輝度制御信号の取り込みタイミングの不安定性による輝度制御信号パルス幅の変化に対して、輝度ボリュームに対して操作が行われているか否かの判断を取り入れる事によって、フリッカのない安定した表示を行う事の出来る輝度制御装置及び輝度制御方法を有するプラズマディスプレイを提供するものである。
【００１５】
【課題を解決するための手段】
本発明は上記した目的を達成するため、以下に記載されたような技術構成を採用するものである。
即ち、本発明に係るプラズマディスプレイの第１の態様としては、直交マトリックス上に配置された表示セルを持つプラズマディスプレイパネル部と、表示データ選択駆動を行う複数のドライバ部と、各ドライバへの信号を制御するプラズマディスプレイコントローラ部と、該プラズマディスプレイコントローラ部に接続された、輝度ボリューム信号に基づいて、輝度制御信号を発生する輝度調整手段とを有するプラズマディスプレイに於いて、該輝度調整手段には、所定の周期内で発生した該輝度ボリュームからの輝度ボリューム変更情報と、当該周期の前における該輝度ボリューム変更情報との差分値を求める差分値出力手段、当該差分値出力手段からの出力値と所定の基準値とを比較して、当該比較結果に基づいて、該輝度制御信号を調整する輝度制御信号調整手段とからなる輝度制御信号成形手段が含まれているプラズマディスプレイであり、又本発明に係るプラズマディスプレイの第２の態様としては、直交マトリックス上に配置された表示セルを持つプラズマディスプレイパネル部と、表示データ選択駆動を行う複数のドライバ部と、各ドライバへの信号を制御するプラズマディスプレイコントローラ部と、該プラズマディスプレイコントローラ部に接続された、輝度ボリューム信号に基づいて、輝度制御信号を発生する輝度調整手段とを有するプラズマディスプレイに於いて、消費電流検出手段、当該消費電流が予め定められた所定の電流値を越えた場合に、当該消費電流値を該所定の電流値に迄低減させるための輝度表示レベルを決定する電流値低減手段、該電流値低減手段により決定された輝度表示レベルと輝度表示レベルの最大値との比率を演算する演算手段、輝度ボリュームの作動に対応する該輝度ボリューム変更情報のデジタル値を該演算手段により得られた当該比率で補正する補正手段、該補正値を格納する記憶手段、新たに得られた当該補正値と該記憶手段に記憶された前周期に於ける補正値とを比較して、その差分値が予め定められた値以下である場合には、該記憶手段に記憶されている当該補正値を有効とし、その差分値が予め定められた値以上である場合には、該新たな補正値を当該記憶手段に記憶させる判定処理手段、水平同期信号（Ｈsync）をカウントするカウント手段、当該カウント手段に於けるカウント値を、該記憶手段に記憶されている補正値と比較して、当該カウント値が該補正値よりも大きい場合には、該輝度制御信号を高輝度状態となし、当該カウント値が該補正値よりも小さい場合には、該輝度制御信号を低輝度状態に設定する輝度制御信号成形手段とを含んでいるプラズマディスプレイである。
【００１６】
【作用】
本発明に係るプラズマディスプレイは、上記した様な技術構成を採用しているので、所定の輝度制御信号検出周期に於ける、該輝度ボリュームの操作状態を示す輝度制御パルス幅情報を、別途記憶されている、当該測定周期の一周期前の周期に於ける輝度制御パルス幅情報と比較して、その差分値を求め、当該差分値が、所定の値よりも小さい場合には、今回検出した当該周期に於ける輝度制御パルスには変化がないものと判断して無視し、既に所定の記憶手段に記憶されている当該輝度制御パルス幅情報を有効なものとして出力し、その状態の表示制御信号を継続して出力させ、一方当該差分値が、所定の値よりも大きい場合には、今回検出した当該周期に於ける輝度制御パルスの輝度制御パルス幅情報を有効なものとして使用すると共に、所定の記憶手段にも記憶させ、当該新たな輝度制御パルスの輝度制御パルス幅情報に基づいて表示制御信号を出力する様にしたものであるから、安定した表示制御信号を出力することが可能となる他、後述する様に、本発明に於いては、当該輝度制御パルスの立ち下がりのタイミングを正確に判断する事が出来るので、上記した効果をより正確に実行させる事が可能となる。
【００１７】
【実施例】
以下に、本発明に係るプラズマディスプレイ、プラズマディスプレイ制御装置並びにプラズマディスプレイ駆動方法等の具体例を図面を参照しながら詳細に説明する。
尚、以下に説明する本発明に係るプラズマディスプレイ装置として、Ｘ電極とＹ電極とを使用する２電極型プラズマディスプレイ装置を例として説明するが、本発明は、係る２電極型プラズマディスプレイ装置に限定されるものではなく、Ｘ電極とＹ電極に加えて、アドレス電極を併用する３対向３電極型のプラズマディスプレイ装置にも適用しえる事は言うまでもない。
【００１８】
この場合には、以下の２電極型プラズマディスプレイ装置に於いて使用されるＸドライバ部とＹ−ドライバ部に代えて、Ｘドライバ部、Ｙ−ドライバ部及びアドレスドライバ部を使用することによって、２電極型プラズマディスプレイ装置と同様の結果を得る事が出来るのである。
即ち、図１は、本発明に係るプラズマディスプレイ１０の基本的な構成の一例を示すブロックダイアグラムであり、図中、Ｘ−Ｙ直交マトリックス上に配置された表示セルを持つプラズマディスプレイパネル部８と、表示データ選択駆動を行うＸドライバ部６と、データ有効ラインを選択してラインスキャン駆動を行うＹ−ドライバ部７と、Ｘ，Ｙ各ドライバへの信号を制御するプラズマディスプレイコントローラ部５と、該プラズマディスプレイコントローラ部５に接続された、輝度ボリューム信号に基づいて、高輝度駆動波形と低輝度駆動波形とを選択的に変更した輝度制御信号ＢＣを発生する輝度調整手段１１とを有するプラズマディスプレイに於いて、該輝度調整手段１１には、所定の周期内で発生した該輝度ボリューム１からの輝度ボリューム変更情報ＫＶと、当該周期の一つ前の周期における該輝度ボリューム変更情報ＫＶ’との差分値を求める差分値出力手段１４、当該差分値出力手段１４からの出力値と所定の基準値とを比較して、当該比較結果に基づいて、当該周期に於ける、該輝度制御信号に含まれる高輝度波形と低輝度波形出力割合を決定する輝度制御信号調整手段１８とからなる輝度制御信号成形手段２０が含まれているプラズマディスプレイが示されている。
【００１９】
本発明に於ける当該輝度ボリューム変更情報ＫＶは、輝度ボリューム１の設定に基づくパルス幅を持つ輝度制御パルス（ＢＣパルス）を、該輝度制御パルス発生手段２に於いて出力し、当該パルス幅を、所定の基準クロック信号でカウントして、当該基準クロック信号のカウント数でデジタル表示に変換したものである。
本発明に於ける当該基準クロックとしては、例えば、図６（Ｂ）に示す様な、当該プラズマディスプレイに於いて使用される１水平同期信号（１Ｈsync）の数で表す事も出来る。
【００２０】
当該輝度制御パルス（ＢＣパルス）の立ち上がりを検出する立ち上がり検出手段２２と、当該輝度制御パルス発生手段２から出力される“Ｈ”レベル信号をイネーブル端子（ＥＮ）に入力すると共に、該立ち上がり検出手段２２からの出力信号をクリヤ端子（ＣＬＲ）に入力し、該当該イネーブル端子（ＥＮ）に該輝度制御パルス発生手段２から出力される“Ｈ”レベル信号が入力された場合に、所定の基準クロックである水平同期信号（Ｈsync）をカウントする第１のカウンタ２１とを設けたものであり、該第１のカウンタから、所定の周期（ＢＣ周期）毎にデジタル化された輝度ボリューム変更情報ＫＶが、出力されその輝度ボリューム変更情報ＫＶが、該輝度制御信号成形手段２０に入力されるものである。
【００２１】
本発明に於ける当該輝度制御信号成形手段２０の具体的な構成は、図１に示す様に、所定の周期毎に、該所定の周期内で発生する当該輝度ボリューム変更情報ＫＶを入力する入力手段１２、該入力された輝度ボリューム変更情報ＫＶを記憶する記憶手段１３、或る周期に於いて発生した当該輝度ボリューム変更情報ＫＶを入力すると共に、該記憶手段１３から、該記憶手段１３に記憶されている当該周期の一周期前の該輝度ボリューム変更情報ＫＶ’を読出して、その両輝度ボリューム変更情報の差分ＤＦＫＶを演算する差分値演算手段１４と該差分値ＤＦＫＶを予め定められた基準値ＲＦＦＤＦと比較する比較手段１５、当該比較手段１５からの出力に応答して、該輝度ボリューム１が操作されたか否か、つまり当該輝度ボリューム１に変化が有った否かを判断する判定手段１６とが設けられているものである。
【００２２】
本発明に於ける該判定手段１６は、当該差分値ＤＦＫＶの絶対値が、所定の基準値ＲＦＦＤＦよりも小さいか、大きいかを判断する機能を有するものであり、該基準値ＲＦＦＤＦは、特に限定されるものではないが、当該水平同期信号（Ｈsync）２個分を想定して、２とする事が出来る。
つまり、当該差分値の絶対値が該水平同期信号（Ｈsync）の２個分以内の長さである場合には、その輝度ボリューム変更情報は、変化がなかったものと判断し、当該輝度ボリューム１は操作されなかったものと判断するものである。
【００２３】
従って、係る状態に於いては、当該輝度制御信号（ＢＣ信号）は、変化せず、該記憶手段１３に記憶されている前の周期に於いて使用された輝度ボリューム変更情報ＫＶ’が使用され、当該輝度制御信号成形手段２０から出力される表示制御信号は、その前の周期に於ける表示制御信号と変更される事は無い。
該記憶手段１３は、例えばＲＡＭ等で構成されるものである。
【００２４】
一方、当該差分値の絶対値が該水平同期信号（Ｈsync）の２個若しくはそれ以上となった場合には、その輝度ボリューム変更情報ＫＶは、当該輝度ボリューム１が操作された結果によるものと判断し、従って、係る状態に於いては、新たに入力された当該周期に於いて得られた輝度ボリューム変更情報ＫＶを用いて輝度制御信号（ＢＣ信号）が形成されるものである。
【００２５】
即ち、本発明に於ける当該判定手段１６により、当該差分値の絶対値ＤＦＫＶが、該基準値ＲＥＦＤＦよりも小さいと判断した場合には、該記憶手段１３に記憶されている輝度ボリューム変更情報ＫＶ’を有効とし、当該差分値の絶対値ＤＦＫＶが、該基準値ＲＥＦＤＦよりも大きいと判断した場合には、該記憶手段１３に記憶されている輝度ボリューム変更情報ＫＶ’を、新たに入力された当該輝度ボリューム変更情報ＫＶで置き換える輝度制御信号変更手段１７を有しており、更に当該輝度制御信号変更手段１７に応答して、当該輝度制御信号（ＢＣＳ信号）に於ける現在の高輝度波形ＨＫＤと低輝度波形ＬＫＤとの出力割合を変更するか、そのままに維持させるかを決定する機能を有する輝度制御信号調整手段１８が設けられている。
【００２６】
つまり、本発明に於いては、該輝度制御信号成形手段２０は、該判定手段１６からの出力情報に基づいて、当該差分値が、該基準値よりも小さい場合には、当該輝度ボリュームは操作されなかったものと判断し、現在出力されている該輝度制御信号はそのまま維持させ、当該差分値が、該基準値よりも大きい場合には、当該輝度ボリュームは操作されたものと判断し、現在出力されている該輝度制御信号を、該輝度制御信号に含まれる高輝度波形ＨＫＤと低輝度波形ＬＫＤとの出力割合を変更する様に構成されている輝度制御信号調整手段を有しているものである。
【００２７】
本発明に於いては、更に、該輝度制御パルス発生手段２から発生される輝度制御パルスの立ち下がり時点を正確に判断する為、前記した立ち上がり検出手段２２に接続された第２のカウンタ手段２３を設け、当該第２のカウンタ手段のクリヤ端子（ＣＬＲ）に該立ち上がり検出手段２２の出力を入力し、そのクロック端子（ＣＬＫ）に所定の基準クロックである水平同期信号（Ｈsync）を入力して当該水平同期信号（Ｈsync）の数をカウントする様に構成したものである。
【００２８】
次いで、該第２のカウンタから出力される例えば８ビットの信号からなる信号を輝度制御信号の立ち下がり時点制御手段２４に入力し、当該輝度制御信号の立ち下がり時点制御手段２４では、当該記憶手段に記憶されているデジタル化された最新の輝度ボリューム変更情報ＫＶと当該カウント値と比較して、該第２のカウンタ手段２３から逐次発生する水平同期信号（Ｈsync）の数が該記憶手段１３に記憶されている輝度ボリューム変更情報ＫＶを示す該水平同期信号（Ｈsync）のカウント値よりも大きくなった時点で、該輝度制御信号（ＢＣ信号）を立ち下げる様に作動するものである。
【００２９】
該輝度制御信号の立ち下がり時点制御手段２４の出力は、前記した輝度制御信号調整手段１８に供給される。
当該輝度制御信号成形手段２０の輝度制御信号調整手段１８から出力される輝度制御信号は、表示制御信号選択手段２５に入力されるものである。  該表示制御信号選択手段２５には、予め所定のアドレスに対応した、該輝度制御信号に含まれる高輝度波形と低輝度波形出力割合を設定した複数種の表示制御信号パターン群が記憶されており、当該複数種の表示制御信号パターン群の中から、所定の表示制御信号パターンを選択して該プラズマディスプレイコントローラ部５に供給されるものである。
【００３０】
即ち、本発明に於ける上記具体例に於いては、該輝度調整手段１１に於ける該輝度制御信号成形手段２０では、第１のカウンタ手段２１でカウントした輝度制御パルス（ＢＣパルス）信号の高輝度期間に相当するカウント値ＤＡを、該記憶手段１３に内蔵されている一周期前のカウント値ＲＤと比較する差分値演算手段１４と比較手段１５とからなる演算手段３０と、当該演算手段３０の演算結果に応じて当該記憶手段１３のデータを書き換えてデータを保存する内蔵ＲＡＭを有する記憶手段と、該記憶手段に記憶されたデータＲＤと該水平同期信号（Ｈsync）をカウントする該第２のカウンタ手段２３のカウント値ＤＢを比較して該内蔵ＲＯＭを有する表示制御信号選択手段２５に上位アドレス信号を出力し、当該表示制御信号選択手段２５内に格納されている所定アドレスにより設定されている、該高輝度期間と低輝度期間とが所定の比率で構成された駆動波形を該ＲＯＭから選択して、該プラズマディスプレイコントローラ部５に当該表示制御信号を出力するものである。
【００３１】
本発明に係る上記プラズマディスプレイの駆動方法或いはプラズマディスプレイ制御装置の動作の一例を図２に示す。
即ち、図２は、本発明に於けるプラズマディスプレイの駆動制御方法の一例を示した図であり、該第１のカウンタ２１のカウント値と、該記憶手段１３のＲＡＭデータの変化の状態、及び該演算手段３０に於ける判定手段１６に於ける判定状態をそれぞれ示すものである。
【００３２】
つまり、図中、矢印は、当該記憶手段１３に於けるＲＡＭデータを変更しない事を示しており、又図中、○印の周期に於いては、当該記憶手段１３のＲＡＭデータを書換える状態を示すものであり、又×印の周期に於いては、当該記憶手段１３のＲＡＭに記憶されている１周期前のデータを保存する状態を示すものである。
【００３３】
即ち、周期ｔ1 〜ｔ18迄は、該判定手段１６が、前記した差分値の絶対値が所定の基準値よりも小さいと判断した為、当該記憶手段１３のＲＡＭデータを書換え操作を行わない判断をなし、従って、該ＲＡＭデータはその前の周期に於けるデータと同一である事を示しており、又周期がｔ19〜t21に於いては、該判定手段１６が、前記した差分値の絶対値が所定の基準値よりも大きいと判断した為、当該記憶手段１３のＲＡＭデータの書換え操作を行う様な判断をなし、従って、該ＲＡＭデータはその前の周期に於けるデータが、当該周期に於ける新たなデータで置き換えられる状態を示している。
【００３４】
更に、当該周期がｔ22〜ｔ28迄は、当該記憶手段１３のＲＡＭデータを書換える操作を行わない判断をなした状態を示している。
即ち、上記した様に、本発明に於いては、図２に示す様に、第１のカウンタのデータＤＡと該記憶手段１３のＲＡＭデータＲＤとの差が２未満の場合には、当該輝度ボリューム１は固定状態であると判断して、当該ＲＡＭデータを保持し当該表示輝度を一定に保つ様に制御が行われ、一方第１のカウンタのデータＤＡと該記憶手段１３のＲＡＭデータＲＤとの差が２以上の場合には、当該輝度ボリューム１は変化していると判断して、その変化に追随する様に当該ＲＡＭデータをい書き換えて該表示輝度を変更する様に制御が行われものである。
【００３５】
上記した本発明に於ける輝度表示制御方法を実行する為の手順の一例を図３に示す。
即ち、図３に於いては、スタート後、ステップ（１）に於いて初期化操作を実行した後、ステップ（２）に於いて、所定の周期内で発生した該輝度ボリュームから出力される輝度ボリューム変更情報に基づいて該第１のカウンタ手段２１の出力手段ＤＡを読み込む操作を実行し、ステップ（３）に進んで、該記憶手段１３のＲＡＭに記憶されている当該周期の一つ前の周期における該輝度ボリューム変更情報を示す記憶データＲＤとの差分値を求め、当該差分値の絶対値が、所定の基準値例えば２より大きいか否かを判断し、ＹＥＳであれば、つまり当該差分値の絶対値が、２より大きい場合には、ステップ（４）に進んで、当該記憶手段１３のＲＡＭデータを、新たに入力された該第１のカウンタ手段２１の出力手段ＤＡで書換えてステップ（６）に進むが、該ステップ（３）でＮＯであれば、つまり当該差分値の絶対値が、２より小さい場合には、ステップ（５）に進んで、当該記憶手段１３のＲＡＭデータをそのまま保持させた後ステップ（６）に進む。
【００３６】
次いで、ステップ（６）に於いては、該第２のカウンタ手段２３のカウンタ出力値ＤＢを読み込み、ステップ（７）に進んで、当該カウンタ出力値ＤＢと該記憶手段に記憶されているデータＲＤとを比較し、当該カウンタ出力値ＤＢが該記憶データＲＤよりも大きくなった時点を判断して、該輝度制御信号（ＢＣ信号）の立ち下がり時点を決定する。
【００３７】
その後ステップ（８）に進んで、高輝度期間ＨＫＤと低輝度期間ＬＫＤとが所定の割合で設定された当該輝度制御信号（ＢＣ信号）を出力し、ステップ（９）に於いて、当該輝度制御信号（ＢＣ信号）の出力に応答して、該表示制御信号選択手段２５のＲＯＭに格納されている複数種の表示制御信号パターン群から、所定のアドレスに該当する表示制御信号パターンを選択して該プラズマディスプレイコントローラ部５に出力した後ステップ（２）に戻って、上記の各工程を繰り返す事になる。
【００３８】
従って、本発明に於いては、アナログ的に連続してパルス幅が調整される輝度ボリューム１からの輝度制御信号に対して、デジタル的な輝度制御を行う場合には、微妙な位置によっては、必ずデータの取り込みが不確実となる場合があるが、本発明に於いては、アナログ量を或る長さでカウントする事により、多少の不確実性を解消すると共に、そのカウント値の移り変わり具合を比較する事によって、データの不確実性を安定化する事が出来るので、安定な輝度の制御を行う事が可能となる。
【００３９】
具体的には、本発明に於いては、当該輝度ボリューム１からの信号が可動接点の接触フラツキや外乱ノイズ等の影響により不安定な状態となる場合でも、輝度ボリュームが動いていないと判断して安定な輝度で表示する事を可能とするものであり、又上記した様に、輝度ボリューム１により与えられる電圧に応じた輝度制御パルス（ＢＣパルス）信号を発生させて、そのパルスの幅を第１のカウンタ手段２１によって、駆動タイミングの最小単位である水平同期信号（Ｈsync）でカウントして、当該パルス幅を該水平同期信号（Ｈsync）単位で可変する事により、当該輝度制御信号（ＢＣ信号）の立ち上がり時点と立ち下がり時点を正確に検出する様にしてあるので、各駆動波形を選択する際の取り込みミスを防止する事が可能となる。
【００４０】
図７は、本発明に係るプラズマディスプレイに於ける輝度調整手段１１の一具体例の構成を示すブロックダイアグラムであり、図中、輝度ボリューム１に接続されている輝度制御パルス（ＢＣ信号）発生手段２は、図７から明らかなように、輝度ボリューム１の設定に応じた幅のパルスを一定周期で発生するワンショットマルチバイブレータ２─ａで構成されており、又該輝度制御パルスの立ち上がりエッジ検出手段２２は、フリップフロップ２２ａとＮＡＮＤ回路２２ｂで構成されている。
【００４１】
更に、本発明に於ける第１のカウンタ手段２１は、従来から公知のカウンタＩＣ、２１−ａと２１−ｂとがカスケード接続されて構成され、又該第２のカウンタ手段２３は、従来から公知のカウンタＩＣ、２３−ａと２３−ｂとがカスケード接続されて構成されている。
該輝度制御パルスの立ち上がりエッジ検出手段２２に於けるＮＡＮＤ回路２２ｂで輝度制御パルスの立ち上がりエッジが検出され、該第１と第２のカウンタ手段２１、２３のクリヤ信号（／ＣＬＲ）を生成する。
【００４２】
又、図で４０と表示されているマイクロコンピュータ（ＭＵＰ）は、上記した本発明に係る輝度制御信号成形手段２０と該表示制御信号選択手段２５とを内蔵するものであり、又４１は、当該マイクロコンピュータ４０の基本クロックとなる発振手段である。
上記装置の動作は、前記した様に、輝度ボリューム１によって輝度制御パルス発生手段２から出力される輝度制御パルス信号の高輝度期間のパルス幅がデジタル的に決定され、当該輝度制御パルスの“Ｈ”レベルの期間、即ち高輝度期間の間だけ該第１のカウンタ２１を作動させる様に、当該信号が該カウンタ手段２１のイネーブル端子に入力される。
【００４３】
そして、その期間水平同期信号（Ｈsync）でカウントして高輝度期間をデジタルデータに変換し、該マイクロコンピュータ４０の入力ポート５１に入力する。
該第１のカウンタ手段は該輝度制御パルスの立ち上がりエッジ検出手段２２により作られたクリヤ信号（ＣＬＲ）によって、データを初期化する。
該マイクロコンピュータ４０に入力されたデータは、図３に示すフローチャートに従って処理され、一方該第２のカウンタ手段２３によって、別途該水平同期信号（Ｈsync）がカウントされる。
【００４４】
この時、該輝度制御パルスの高輝度期間を該Ｈsyncでカウントする事で、該輝度ボリューム１による不確実性を解消させ、更に、そのカウント時の１Ｈsync分の不確実性を該マイクロコンピュータ４０の演算により解消しているので、輝度ボリュームが一定の場合の回路動作や、外乱ノイズ等による影響を全く無くす事が出来、又輝度ボリューム１が動いた場合には、該第１のカウント手段２１の出力に明らかに±２以上の変化が表れるので、データがカウント値に追従して輝度制御も変化していく。
【００４５】
上記した様に、本発明に於ける第１の態様によるプラズマディスプレイに於いては、当該輝度ボリューム１の操作に応じて、該表示制御信号選択手段から出力される表示制御信号の高輝度期間と低輝度期間との割合を適宜変更させて、該高輝度期間が長くなる程、輝度レベルの高い中間調表示が行われ、逆に該低輝度期間が長くなる程、輝度レベルの低い中間調表示が行われる事になる。
【００４６】
次に、本発明に係るプラズマディスプレイの第２の態様に付いて図面を参照しながら説明する。
即ち、第２の態様に係るプラズマディスプレイは、自動電力制御手段を利用して、上記した当該プラズマディスプレイに於ける表示制御操作に於いて、予め定められた所定の電力を越える様な輝度レベルを示す表示操作を行う場合には、当該輝度レベルを低下させ、所定の電力内で表示が行われる様に制御するものである。
【００４７】
つまり、プラズマディスプレイに於いては、点灯させる表示セルの数により、消費電力はそれぞれ異なっており、当該表示セルの数が多い程、該消費電力は増加する傾向にある。
その為、前記したような輝度制御方法により、特定の輝度レベルの表示を行う様な制御が行われた場合でも、その結果、当該消費電力が、所定のレベルを越える様な場合には、当該輝度レベルを強制的に低下させて、当該消費電力が、所定のレベル以下に収まる様に調整する手段を付加したものである。
【００４８】
即ち、本発明に於ける該第２の態様に於けるプラズマディスプレイの具体例としては、例えば、図８に示す様に、上記したプラズマディスプレイに於ける該輝度調整手段に、該プラズマディスプレイパネル部に流れる消費電流を検出する消費電力検出手段６０を設けるものであって、該消費電流検出手段６０に加えて、当該消費電流が予め定められた所定の電流値を越えた場合に、当該消費電流値を該所定の電流値に迄低減させるための輝度表示レベルＢＡを決定する電流値低減手段６２、該電流値低減手段６２により決定された輝度表示レベルＢＡと輝度表示レベルの最大値との比率を演算する演算手段６３、輝度ボリューム１からの輝度ボリューム変更情報ＫＶのデジタル値ＤＢＶを該演算手段６３により得られた当該比率で補正する補正手段６４、該補正値ＢＢを格納する記憶手段６５、新たに得られた当該補正値と該記憶手段６５に記憶された前周期に於ける補正値ＲＤ２とを比較して、その差分値が予め定められた値以下である場合には、該記憶手段に記憶されている当該補正値を有効とし、その差分値が予め定められた値以上である場合には、該新たな補正値を当該記憶手段に記憶させる判定処理手段６７、水平同期信号（Ｈsync）をカウントするカウント手段６６、当該カウント手段６６に於けるカウント値を、該記憶手段６５に記憶されている補正値と比較して、当該カウント値が該補正値よりも小さい場合には、該輝度制御信号を高輝度状態となし、当該カウント値が該補正値よりも大きい場合には、該輝度制御信号を低輝度状態に設定する輝度制御信号成形手段６８とを含んでいるプラズマディスプレイである。
【００４９】
図９は、上記に於けるプラズマディスプレイの輝度制御方法を実行する為の具体的な回路構成の一例を示すブロックダイアグラムであり、該電流検出手段６０は、カレントミラー回路からなる該表示パネルに流れる電流を検出する電流検出手段７０と、該カレントミラー回路で検出された電流値を平均化すると共に、上記した輝度制御を実行するマイクロコンピュータ４０のアナログ入力電圧範囲に一致する様にゲインを調整する為、２台のオペアンプの反転増幅器７２、７３を直列に接続した積分増幅手段７１とから構成されている。
【００５０】
又、本具体例に於いては、輝度ボリューム１は、直接該マイクロコンピュータ４０のアナログ入力ポート（ＤＢＶ）に接続されている。
一方、該マイクロコンピュータ４０に設けられている該輝度制御信号成形手段６８に接続されるカウント手段６６は、図７に示す第２のカウンタ手段２３の構成と略同一の構成を有する、従来から公知のカウンタＩＣ、６６−ａと６６−ｂとがカスケード接続されて構成され、その出力は、該マイクロコンピュータ４０の入力ポート（ＤＣ）に入力されている。
【００５１】
以下に上記具体例に於ける処理手順を図１０（Ａ）〜図１０（Ｄ）のフローチャートを参照しながら説明する。
図１０（Ａ）のフローチャートに於いて、先ずスタート後、ステップ（１）に於いて、初期化操作が行われ、次いでステップ（２）に進んで、該プラズマディスプレイパネル部に流れる消費電流を検出する工程と当該消費電流が予め定められた所定の電流値を越えた場合に、当該消費電流値を該所定の電流値に迄低減させるための輝度表示レベルＢＡを決定する工程とを実行する為のルーチンＡが実行される。
【００５２】
当該電流値低減ルーチンＡは、図１０（Ｂ）に示される様に、（Ａ１）で当該ルーチンがスタートし、先ずステップ（Ａ２）に於いて、当該ルーチンの処理操作ループ回数を歩進し、ステップ（Ａ３）で、当該処理操作ループ回数ｉが１回目であるか否かを判断し、最初の処理であれば、当該処理操作ループ回数ｉは、ｉ＝１であるから、ＹＥＳとなりステップ（Ａ１１）に進んで、輝度表示レベルＢＡを最大値、例えばＢＡ＝２５５を選択し、ステップ（Ａ１２）に進み、当該輝度表示レベルＢＡを最大値であるＢＡ＝２５５に設定しステップ（Ａ２）に戻る。
【００５３】
次いで、２回目の当該ルーチンの処理操作が行われ、ステップ（Ａ２）でｉ＝２となり、従ってステップ（Ａ３）に於いてＮＯとなるので、ステップ（Ａ４）に進み、アナログ入力ポートに入力された該電流検知手段６０から出力されたアナログデータＩＮ２をアナログ／デジタル変換装置でＡ／Ｄ変換する。
その後ステップ（Ａ５）に於いて、該Ａ／Ｄ変換データＤＡＤを得る。
【００５４】
次に、ステップ（Ａ６）に於いて、当該表示パネルを流れる電流に付いて予め定められた所定の基準値ＲＤ１を適宜の記憶手段、例えばＲＡＭ等で構成された記憶手段の記憶から読出し、ステップ（Ａ７）に於いて当該検出された電流値のデジタル値（ＤＡＤ）と該電流値の基準デジタル値（ＲＤ１）とを比較して、該検出された電流値のデジタル値（ＤＡＤ）が該電流値の基準デジタル値（ＲＤ１）と等しい場合、つまりＤＡＤ＝ＲＤ１である場合には、現在設定されている輝度表示レベルＢＡを採用しステップ（Ａ１２）に進む。
【００５５】
又、ステップ（Ａ７）に於いて、ＤＡＤ＜ＲＤ１である場合、つまり、該検出された電流値（ＤＡＤ）が該電流値の基準値（ＲＤ１）よりも小さい場合には、ステップ（Ａ９）に進み、輝度表示レベルＢＡを１だけ歩進させるＢＡ＋１の演算を行い、ステップ（Ａ１２）に進む。
【００５６】
更に、ステップ（Ａ７）に於いて、ＤＡＤ＞ＲＤ１である場合、つまり、該検出された電流値（ＤＡＤ）が該電流値の基準値（ＲＤ１）よりも大きい場合には、ステップ（Ａ１０）に進み、輝度レベルの制御目標値ＢＡを−１だけ歩進させるＢＡ−１の演算を行い、その結果をステップ（Ａ１２）に進んで当該ルーチンに於ける輝度レベルの制御目標ＢＡとして設定する。
【００５７】
尚、上記ルーチンに於いて、輝度表示レベル（ＢＡ）が、２５５を越える場合には、ＢＡ＝２５５に設定される。
本発明に於いては、係るルーチン処理を繰り返して、検出された消費電流が所定の基準値に収束する様な輝度表示レベルとなる様に制御が行われる。
当該ルーチンＡが終了するとステップ（３）に進み、上記の処理により、当該自動電力制御手段（ＡＰＣ）に設定された当該輝度表示レベルを実現する様に図１０（Ｃ）に示される処理ルーチンＢが実行される。
【００５８】
先ずステップ（Ｂ１）で当該ルーチンがスタートした後、ステップ（Ｂ２）に於いて、輝度ボリューム１から入力アナログ入力ポートに入力される制御信号ＩＮ１をマイクロコンピュータ４０に内蔵されたアナログ／デジタル変換装置を使用してデジタル値に変換し、ステップ（Ｂ３）に進んで、当該デジタル値（ＤＢＶ）を得る。
【００５９】
次いで、ステップ（Ｂ４）に進んで、前記ルーチンＡにより得られた目標とする輝度表示レベルＢＡと最高の輝度レベルである２５５との比率、即ちＢＡ／２５５の値を求めた後、該比率を該デジタル値（ＤＢＶ）に乗算して補正する補正演算処理、即ち、ＤＢＶ×（ＢＡ／２５５）の演算を行い、その整数値を有効数値とする、検出された輝度ボリュームからの制御データ（ＩＮ１）の補正データであるデータＢＢを求め、適宜の記憶手段に格納する。
【００６０】
つまり、ＢＢ＝ＩＮＴ（ＤＢＶ×（ＢＡ／２５５））の演算処理を実行する事になる。
その後ステップ（Ｂ５）に進み、所定の記憶手段に格納されている当該補正データＢＢに関する一周期前の補正データＢＢ’をデータＲＤ２として読出し、ステップ（Ｂ６）に於いて、現在得られた当該補正データＢＢと該データＲＤ２との差分値を求め、該差分値の絶対値が所定の基準値、例えばＫよりも小さいか大きいかを判断する。
【００６１】
本具体例に於いては、該基準値Ｋは、例えばＫ＝２とする事が出来る。
そして、該ステップ（Ｂ６）に於いて、当該補正データＢＢと該データＲＤ２との差分値の絶対値が、基準値Ｋより小さい場合には、ステップ（Ｂ７）に進んで、当該記憶手段から読み出した該データＲＤ２を有効なものと判断して、当該データＲＤ２を再度該記憶手段に格納し、ステップ（Ｂ９）に進んで、当該記憶手段に格納されているデータＲＤ２が以後の処理フローで使用される事になる。
【００６２】
一方、該ステップ（Ｂ６）に於いて、当該補正データＢＢと該データＲＤ２との差分値の絶対値が、基準値Ｋより大きい場合には、ステップ（Ｂ８）に進んで、当該記憶手段に該補正データＢＢを有効なものとして書き込み、ステップ（Ｂ９）に進んで、当該記憶手段に格納された、新たな補正データＢＢが以後の処理フローで使用される事になる。
【００６３】
当該ルーチンＢが終了するとステップ（４）に進み、第１の態様に於けると同様の図１０（Ｄ）に示される輝度制御信号成形処理ルーチンＣが実行される。
該輝度制御信号成形処理ルーチンＣに於いて、ステップ（Ｃ１）でスタートすると、ステップ（Ｃ２）で、カウンタ手段６８が、計数する該水平同期信号（／Ｈsyncバー）のカウント値が、該マイクロコンピュータ４０の入力ポートに入力されるので、その値（ＤＣ）を得ると共に当該デジタル値（ＤＣ）を所定の記憶手段に格納させておく。
【００６４】
次いで、ステップ（Ｃ３）に進み、該記憶手段に記憶されている、当該デジタル値（ＤＣ）と、前記したルーチンＢに於いて設定された該データＲＤ２を所定の記憶手段から読み出し、ステップ（Ｃ４）に於いて、該データＲＤ２と該デジタル値（ＤＣ）とを比較し、該データＲＤ２が、該デジタル値ＤＣよりも大きい場合、即ち、ＲＤ２＞ＤＣである場合には、ステップ（Ｃ５）に進んで前記した輝度制御信号の波形を“Ｈ”レベルとなし、又該データＲＤ２が、該デコード値ＤＣよりも小さい場合、即ち、ＲＤ２＜ＤＣである場合には、ステップ（Ｃ６）に進んで前記した輝度制御信号の波形を“Ｌ”レベルとなす。
【００６５】
その後もとのフローチャートに戻り、ステップ（５）に於いて、該ルーチンＣに於いて出力された該輝度制御信号の高輝度波形と低輝度波形の割合に従って、該表示制御信号選択手段２５に内蔵されているＲＯＭにアドレスし、該内蔵ＲＯＭでは、当該アドレスに従って、記憶されている所定の表示制御信号パターンを出力して、その所定の割合に高輝度波形と低輝度波形が形成されている表示駆動波形をプラズマディスプレイコントローラ部５に供給するものである。
【００６６】
本発明に係る第２の態様に於いては、上記した様に、表示用の入力電流を検出し、それが一定値を越えた場合に自動的に表示輝度を落とす事によって、消費電流を低減するＡＰＣ機能を有するものであって、検出電流値ＤＡＤにり求められる輝度設定値ＢＡの輝度最大値ＢＡＭＡＸ（例えば２５５）に対する割合（ＢＡ／２５５）を、デジタル値ＤＢＶに乗算して所定の値迄表示輝度レベルを低下させるものである。
【００６７】
尚、上記具体例に於いては、図１０（Ｂ）のルーチンＡに於けるステップ（Ａ７）での比較工程では、例えば差分値ＤＡＤ−ＲＤ１の絶対値が１０以上と設定してＤＡＤ＝ＲＤ１になるまでの制御を早くする事も可能である。
つまり、本具体例に於いては、上記した輝度制御信号の調整と自動電力制御の双方を同時に実行する事になる。
【００６８】
【発明の効果】
本発明に於いては、上記した様に、輝度制御に於ける輝度ボリューム操作によるアナログ的な制御を高輝度と低輝度の２種類の駆動のデジタル的な組合せに変換する事により、輝度コントロール装置の変換時に生ずる不安定性に対して、輝度制御パルス信号の高輝度期間の長さを量子化したものの、前回の周期と今回の周期とで違いを検出する事により、制御が不安定となる場合を無視するので、フリッカ等の無い、安定な表示で輝度制御が可能となる効果を奏するものである。
【００６９】
更に、プラズマディスプレイ装置の輝度制御回路の性能の向上に多いに寄与するものである。
【図面の簡単な説明】
【図１】図１は、本発明に係るプラズマディスプレイの構成の一例を示すブロックダイアグラムである。
【図２】図２は、本発明に於けるプラズマディスプレイの制御駆動方法の一例を示す図である。
【図３】図３は、本発明に於けるプラズマディスプレイの駆動制御方法の一例を示すフローチャートである。
【図４】図４は、従来のプラズマディスプレイの構成の例を示すブロックダイアグラムである。
【図５】図５は、従来に於けるプラズマディスプレイの表示駆動方法の例を示す波形図である。
【図６】図６は、従来に於けるプラズマディスプレイの表示駆動方法に於ける各制御信号の波形図である。
【図７】図７は、本発明に係るプラズマディスプレイの構成例を示すブロックダイアグラムである。
【図８】図８は、本発明に係るプラズマディスプレイの他の具体例の構成例を示すブロックダイアグラムである。
【図９】図９は、本発明に係るプラズマディスプレイの他の具体例の構成例を示すブロックダイアグラムである。
【図１０】図１０（Ａ）〜（Ｄ）は、本発明に於けるプラズマディスプレイの他の具体例での表示駆動方法の手順を説明するフローチャートである。
【符号の説明】
１…輝度ボリューム
２…輝度制御パルス発生手段
３…ラッチ回路
４、２５…表示制御信号選択手段
５…プラズマディスプレイコントローラ部
６…Ｘ−ドライバ部
７…Ｙ−ドライバ部
８…プラズマディスプレイパネル部
１０…プラズマディスプレイ
１１…輝度調整手段
１２…入力手段
１３…記憶手段
１４…差分値演算手段
１５…比較手段
１６…判定手段
１７…輝度制御信号変更手段
１８…輝度制御信号調整手段
２０…輝度制御信号成形手段
２１…第１のカウンタ手段
２２…立ち上がりエッジ検出手段
２３…第２のカウンタ手段
２４…立ち下が時点制御手段
３０…演算手段
４０…マイクロコンピュータ
４１…発振手段
５１、５２…入力ポート
６０…電流検出手段
６２…電流値低減手段
６３…比率演算手段
６４…補正値演算手段
６５…記憶手段
６６…カウンタ手段
６７…判定処理手段
６８…輝度制御信号成形手段
７０…電流検出輝器
７１…積分増幅器
【図１】
0003667735.tif 000002
【図２】
0003667735.tif 000003
【図３】
0003667735.tif 000004
【図４】
0003667735.tif 000005
【図５】
0003667735.tif 000006
【図６】
0003667735.tif 000007
【図７】
0003667735.tif 000008
【図８】
0003667735.tif 000009
【図９】
0003667735.tif 000010
【図１０】
0003667735.tif 000011